(57)【要約】【課題】ワンタッチプレイの使い勝手を向上させた入力切替画面制御装置及び入力切替画面制御方法を提供することを主たる目的とする。【解決手段】第１の画面領域ＡにＨＤＭＩ−ＣＥＣ機器１１３からの映像が表示されるとともに、映像表示部１０６にはＧＵＩメッセージ１２２が一定期間表示される。ＧＵＩメッセージ１２２は、第１のワンタッチプレイ操作に応じて、第１の画面領域Ａに表示された入力を第２の画面領域に切り替えることを希望する場合は、所定キー（例えば再生キー）を再度押すよう促すメッセージである。当該メッセージの表示期間に第２のワンタッチプレイ操作が行われた場合、第１の画面領域Ａに表示されている映像に代えて、既に記憶した入力の映像信号を表示するとともに、第２の画面領域Ｂに第１の画面領域Ａに表示されていた映像を表示する。【選択図】  図４
2011035454.tif 000002
【特許請求の範囲】
【請求項１】
放送波に含まれる第１の映像信号を受信する第１の受信手段と、
接続相手機器から送信される第２の映像信号を受信する第２の受信手段と、
一つの画面を少なくとも第１の画面領域及び第２の画面領域に分割する画面分割手段と、
前記第１の画面領域に表示されている前記第１の映像信号の入力情報を記憶する記憶手段と、
前記接続相手機器を操作するための第１の操作に応じて、前記第１の画面領域に表示されている前記第１の映像信号に代えて、前記第２の映像信号を表示するよう制御する多画面切り替え制御手段とを備え、
前記多画面切り替え制御手段は、前記接続相手機器を操作するための第２の操作に応じて、前記第１の画面領域に表示されている前記第２の映像信号に代えて、前記記憶手段にて記憶された前記第１の映像信号を表示するとともに、前記第２の画面領域に前記第２の映像信号を表示するよう制御することを含むことを特徴とする入力切替画面制御装置。
【請求項２】
前記第１の操作に応じて前記第２の操作を促すメッセージを前記一つの画面上に表示するよう制御する表示制御手段を更に備えることを特徴とする請求項１に記載の入力切替画面制御装置。
【請求項３】
前記メッセージが前記一つの画面上に表示されている間の前記第２の操作に応じて、前記多画面切り替え制御手段は、前記第１の画面領域に表示されている前記第２の映像信号に代えて、前記記憶手段にて記憶された前記第１の映像信号を表示するとともに、前記第２の画面領域に前記第２の映像信号を表示するよう制御することを特徴とする請求項２に記載の入力切替画面制御装置。
【請求項４】
前記第１の画面領域及び前記第２の画面領域のいずれかに表示される映像信号に対応した音声を切り替えさせる音声切り換え手段を更に備え、
前記音声切り替え手段は、前記第２の操作に応じて前記第１の画面領域に表示される前記第１の映像信号に対応した音声を出力するよう制御することを特徴とする請求項１に記載の入力切替画面制御装置。
【請求項５】
一つの画面を複数の画面領域に分割するステップと、
前記複数の画面のうちの第１の画面領域の入力情報を記憶する記憶ステップと、
接続相手機器を操作するための第１の操作に応じて、前記接続相手機器から入力される映像信号を前記第１の画面領域に表示するよう制御するステップと、
前記接続相手機器を操作するための第２の操作に応じて、前記第１の画面領域に表示される前記接続相手機器から入力される映像信号を、前記記憶ステップにて記憶された入力情報に対応する映像信号に切り換えるステップとを有することを特徴とする入力切替画面制御方法。
【請求項６】
前記第１の操作に応じて前記第２の操作を促すメッセージを前記一つの画面上に表示するステップを有することを特徴とする請求項５に記載の入力切替画面制御方法。
【請求項７】
第１の映像信号を受信する第１の受信手段と、
接続相手機器から送信される第２の映像信号を受信する第２の受信手段と、
一つの画面を少なくとも第１の画面領域及び第２の画面領域に分割する画面分割手段と、
前記接続相手機器を操作するための第１の操作に応じて、前記第１の画面領域に表示されている前記第１の映像信号と前記第２の映像信号とを入れ替えるためには第２の操作をするよう促すメッセージを前記一つの画面上に表示するよう制御する表示制御手段と、
前記第１の画面領域に表示される前記第１の映像信号と前記第２の映像信号とを入れ替えるよう制御する多画面切り替え制御手段とを備えることを特徴とする入力切替画面制御装置。
【発明の詳細な説明】
【技術分野】
【０００１】
この発明は、画面の入力切替の制御を行う装置に関する。
【背景技術】
【０００２】
近年では、ＨＤＭＩ(High Definition Multimedia Interface)を搭載したデジタル機器、例えばＴＶ、ＤＶＤプレーヤー、ＤＶＤレコーダー、パソコン（ＰＣ）が普及している。ＨＤＭＩは、映像・音声のデジタルデータを一つのケーブルを介して非圧縮で転送することができる。また、ＨＤＭＩ−ＣＥＣ（Consumer Electronics Control）準拠と謳った機器同士、例えばＴＶとＤＶＤレコーダーとをＨＤＭＩを介して接続すると、ＨＤＭＩ−ＣＥＣ機能により、ＴＶのリモートコントローラを使用して、ＴＶに接続されたＤＶＤレコーダーを操作することができる。
【０００３】
また、複数のチューナから入力された複数の番組を複数画面で同時に表示する、いわゆる多画面表示機能を有するデジタルテレビが普及している。このようなデジタルテレビには、多画面表示機能の実行時にいずれか一つの画面表示領域に外部機器からの入力信号を表示するよう制御すること（入力切替画面制御）が可能なものもある。
【０００４】
例えば、特許文献１には、その段落［００３９］に記載されているように、入力切替キー押下時に二画面表示となり、左画面に「デジタル放送信号」を表示し、右画面に「ＩＥＥＥ１３９４入力信号」を表示し、リモコンの入力切替キーを押す度に右画面が外部入力端子からの入力に切り替わる受信装置が開示されている。
【０００５】
また、相互に接続されたデジタル機器において、ワンタッチプレイ機能が知られている。例えばＴＶとＤＶＤプレーヤーがＨＤＭＩ接続されていた場合において、ＤＶＤプレーヤ側の本体あるいはリモコンの再生ボタンを押す（ワンタッチプレイ操作）と、それに連動して、ＴＶの入力が自動的にＤＶＤプレーヤーに切り替わる動作を実現する。このようにワンタッチプレイ機能は、接続相手機器側を操作するための操作に応じて、当該接続相手機器側の映像に入力を切り替える機能である（例えば、特許文献２の段落［００１９］参照）
【先行技術文献】
【特許文献】
【０００６】
【特許文献１】特開２００３−１８４９５号公報
【特許文献２】特開２００６−３４５２８５号公報
【発明の概要】
【発明が解決しようとする課題】
【０００７】
多画面表示（例えば二画面表示）の際に上記ワンタッチプレイ操作を行うと、いずれか一つの画面について入力切替が実行される場合がある。
しかしながら、ワンタッチプレイ操作の際にどのような入力切替を実行するかについてはこれまで十分に検討が成されていなかった。
そこで本発明は、ワンタッチプレイ操作の使い勝手を向上させた入力切替画面制御装置及び入力切替画面制御方法を提供することを主たる目的とする。
【課題を解決するための手段】
【０００８】
本発明は上記課題に鑑みてなされたものであり、その主な特徴は以下のとおりである。すなわち、本発明の入力切替画面制御装置は、放送波に含まれる第１の映像信号を受信する第１の受信手段と、接続相手機器から送信される第２の映像信号を受信する第２の受信手段と、一つの画面を少なくとも第１の画面領域及び第２の画面領域に分割する画面分割手段と、前記第１の画面領域に表示されている前記第１の映像信号の入力情報を記憶する記憶手段と、前記接続相手機器を操作するための第１の操作に応じて、前記第１の画面領域に表示されている前記第１の映像信号に代えて、前記第２の映像信号を表示するよう制御する多画面切り替え制御手段とを備え、前記多画面切り替え制御手段は、前記接続相手機器を操作するための第２の操作に応じて、前記第１の画面領域に表示されている前記第２の映像信号に代えて、前記記憶手段にて記憶された前記第１の映像信号を表示するとともに、前記第２の画面領域に前記第２の映像信号を表示するよう制御することを含むことを特徴とする。
【０００９】
また、本発明の入力切替画面制御方法は、一つの画面を複数の画面領域に分割するステップと、前記複数の画面のうちの第１の画面領域の入力情報を記憶する記憶ステップと、接続相手機器を操作するための第１の操作に応じて、前記接続相手機器から入力される映像信号を前記第１の画面領域に表示するよう制御するステップと、前記接続相手機器を操作するための第２の操作に応じて、前記第１の画面領域に表示されている前記接続相手機器から入力される映像信号を、前記記憶ステップにて記憶された入力情報に対応する映像信号に切り換えるステップとを有することを特徴とする。
【００１０】
また、本発明の入力切替画面制御装置は、第１の映像信号を受信する第１の受信手段と、接続相手機器から送信される第２の映像信号を受信する第２の受信手段と、一つの画面を少なくとも第１の画面領域及び第２の画面領域に分割する画面分割手段と、前記接続相手機器を操作するための第１の操作に応じて、前記第１の画面領域に表示されている前記第１の映像信号と前記第２の映像信号とを入れ替えるためには第２の操作をするよう促すメッセージを前記一つの画面上に表示するよう制御する表示制御手段と、前記第１の画面領域に表示される前記第１の映像信号と前記第２の映像信号とを入れ替えるよう制御する多画面切り替え制御手段とを備えることを特徴とする。
【発明の効果】
【００１１】
本発明によれば、ワンタッチプレイの使い勝手を向上させる。
【図面の簡単な説明】
【００１２】
【図１】本実施形態に係るテレビジョン放送受信装置の主要な構成を示す図である。
【図２】第１の実施形態に係るテレビジョン放送受信装置の動作例を示すフローチャート図である。
【図３】第１の実施形態に係るテレビジョン放送受信装置の動作例を示すための多画面図である。
【図４】第１の実施形態に係るテレビジョン放送受信装置の動作例を示すための多画面図である。
【図５】第１の実施形態に係るテレビジョン放送受信装置の動作例を示すための多画面図である。
【図６】第２の実施形態に係るテレビジョン放送受信装置の動作例を示すフローチャート図である。
【図７】第２の実施形態に係るテレビジョン放送受信装置の動作例を示すための多画面図である。
【図８】第３の実施形態に係るテレビジョン放送受信装置の動作例を示すフローチャート図である。
【図９】第３の実施形態に係るテレビジョン放送受信装置の動作例を示すための多画面図である。
【発明を実施するための形態】
【００１３】
図１は、この発明の一実施形態に係るテレビジョン放送受信装置１００の概略構成を示す図である。以下、図１を参照し、テレビジョン放送受信装置１００について説明する。
【００１４】
図１に示すように、地上波やＢＳ等の放送波（放送信号）は、アンテナ１０１を介して放送受信モジュール１０２に入力される。放送受信モジュール１０２はいわゆるチューナーを含んでおり、放送受信モジュール１０２では放送信号に含まれる複数チャンネルの信号の中から所望のチャンネルの放送信号が選局される。放送受信モジュール１０２で選局された放送信号は、信号処理モジュール１０３に供給される。なお、本実施形態における放送受信モジュール１０２は、複数の映像信号を同時に受信可能であり、いわゆる複数チューナ手段を備えている。
【００１５】
信号処理モジュール１０３では、復調処理や複合処理等が成される。そして、映像信号及び音声信号に対して、選択的に所定のデジタル信号処理を施してから後段の映像・音声出力処理モジュール１０４に出力している。
【００１６】
映像・音声出力処理モジュール１０４では、信号処理モジュール１０３から供給されるデジタルの映像信号にＯＳＤ（On Screen Display）発生モジュール１０５で生成されるＯＳＤ信号を重畳して出力する機能を有する。なお、映像・音声出力処理モジュール１０４は、信号処理モジュール１０３から供給される出力映像信号と、ＯＳＤ発生モジュール１０５から供給されるＯＳＤ信号とを選択的に出力することや、両信号をそれぞれ画面の半分を構成するように組み合わせて出力することもできる。
【００１７】
また、映像・音声出力処理モジュール１０４は、液晶表示パネルやプラズマパネル等を備えた映像表示部１０６に対して映像信号を出力して映像表示させる。
また、映像・音声出力処理モジュール１０４は、入力された音声信号を、スピーカ１０７で再生可能なフォーマットのアナログ音声信号に変換した後、スピーカ１０７に出力して音声再生させる。
【００１８】
ここで、このテレビジョン放送受信装置１００は、上記した各種の受信動作を含むその全ての動作を制御モジュール１０８によって統括的に制御されている。
この制御部１０８は、ＣＰＵ（Central Processing Unit）等の多数のＩＣを内蔵している。また、テレビジョン放送受信装置１００は、制御モジュール１０８が実行する制御プログラムを格納したＲＯＭや、ＣＰＵに作業エリアを提供するＲＡＭや、各種の設定情報及び制御情報等が格納される不揮発性メモリ等を含む記憶モジュール１０９を備えている。なお、後述する多画面のうちの少なくともいずれかの画面の映像信号の入力情報は記憶モジュール１０９に記憶される。
【００１９】
また、制御部１０８は、映像表示部１０６の画面を少なくとも第１の画面領域と第２の画面領域に分割する画面分割モジュール（不図示）を備える。これは、テレビジョン放送受信装置１００がいわゆる多画面表示機能を備えるていることを意味する。例えば、リモートコントローラ１１０の所定キー（例えば専用の二画面キー）を押下げすると、二画面表示に切り替わる。
【００２０】
また、制御部１０８は、例えばリモートコントローラ１１０の操作に応じて、多画面で表示されているいずれかの画面の入力を別の入力に切り替え、つまりは映像を別の映像に切り換えて表示するように制御する多画面切り替え制御モジュール（不図示）を備える。多画面表示の具体的構成及び動作については後述する。
【００２１】
また、テレビジョン放送受信装置１００は、リモートコントローラ１１０及びコード受信モジュール１１１を備えている。リモートコントローラ１１０からの操作信号（例えば、赤外線信号）は、コード受信モジュール１１１で受信され、制御モジュール１０８によりデコードされる。例えば、コード受信モジュール１１１により所望チャンネルの選局又は所望の外部入力切換の操作信号が受信されると、制御モジュール１０８は受信した操作信号に基づき、信号処理モジュール１０３等の各部を制御し、所望のチャンネルの映像表示や音声再生、あるいは外部入力の切換えが成される。
【００２２】
より具体的には例えば、ユーザがリモートコントローラ１１０の入力切り替えボタンを押下すると、コード受信モジュール１１１は、入力切り替え信号（入力切り替えを指示するコード）を受信する。そうすると、外部入力を切り替えるための操作メニューが表示される。当該操作メニューが表示された状態において、ユーザは、リモートコントローラの十字キーや所定ボタン等を操作することによって、操作メニューに表示されている入力ソース（ＤＴＶ，ＨＤＭＩ１，ＨＤＭＩ２，ＨＤＭＩ３など）の内の一つを選択することができる。なお、外部入力の切り替え（選択）は、リモートコントローラのボタンの内、上下キーのような方向キーを用いて行うこともできる。
【００２３】
また、テレビジョン放送受信装置１００は、ＨＤＭＩ接続モジュール１１２を備えている。従って、テレビジョン放送受信装置１００は、ＨＤＭＩ端子を備える複数の機器（例えば、ＤＶＤレコーダ、ＡＶアンプなど）とＨＤＭＩ接続モジュール１１２を介して接続することができる。図１では、ＨＤＭＩ接続モジュール１０１を介してＨＤＭＩ−ＣＥＣ機器１１３と接続されている。制御モジュール１０８は、ＨＤＭＩ接続モジュール１１２介して、ＨＤＭＩ−ＣＥＣ機器１１３とＣＥＣ規格に基づいて双方向通信することができる。つまり、テレビジョン放送受信装置１００からリモートコントローラ１１０を用いるなどしてＨＤＭＩ−ＣＥＣ機器１１３を制御することができる。例えば、ＨＤＭＩ−ＣＥＣ機器１１３がＤＶＤレコーダであるとし、リモートコントローラ１１０からＤＶＤレコーダに対する制御信号（例えば再生・停止・録画等の信号）を受信すると、ＨＤＭＩ通信ケーブル等を介して再生や停止等を指示する制御信号がＤＶＤレコーダに送信される。そして、ＤＶＤレコーダの再生や停止等を制御することが出来る。
【００２４】
また、テレビジョン放送受信装置１００は、相互に接続されたデジタル機器におけるワンタッチプレイ機能を備えている。本実施形態におけるワンタッチプレイ機能は、例えばＴＶと、ＤＶＤレコーダ等のＨＤＭＩ−ＣＥＣ機器１１３が接続されていた場合において、ＨＤＭＩ−ＣＥＣ機器１１３を操作するための操作（例えば、ＨＤＭＩ−ＣＥＣ機器１１３の本体あるいはリモコンの再生ボタンやメニュー表示ボタン、あるいはリモートコントローラ１１０に備わるＨＤＭＩ−ＣＥＣ機器１１３を再生操作するためのキーなど）がされると、それに連動して、ＴＶの入力が自動的にＨＤＭＩ−ＣＥＣ機器１１３に切り替わる動作やそれに伴う再生動作（ＤＶＤレコーダーに格納されたＤＶＤの再生や、ＤＶＤレコーダーのＨＤＤに格納された番組の再生など）を実現する機能である。また、ＨＤＭＩ−ＣＥＣ機器１１３がデジタルムービーカメラの場合には、デジタルムービーカメラに格納された記録媒体に記録された静止画像や動画像の再生動作もワンタッチプレイ機能で実現できる。
【００２５】
また、テレビジョン放送受信装置１００は、ＵＳＢ端子１１４を備えている。従って、テレビジョン放送受信装置１００は、ＵＳＢ端子を備える機器（例えば、外付けのＨＤＤなど）とＵＳＢ端子１１４を介して接続することができる。
【００２６】
また、テレビジョン放送受信装置１００はＨＤＭＩ端子やＵＳＢ端子以外の外部入力端子１１５（コンポジットやコンポーネントなど）を備えている。従って、外部入力端子１１５を介して外部機器１１６と接続することも可能である。
【００２７】
なお、ＨＤＭＩ接続モジュール１１２やＵＳＢ端子１１４、外部入力端子１１５等を介して通信ケーブルなどで外部機器（接続相手機器）を物理的に接続してもよいし、ワイヤレスで無線通信により接続することも可能である。また、ＨＤＭＩやＵＳＢに関わらず、外部機器が接続されるインタフェースとしては、映像と音声の両者を所定のケーブルでまとめて送信できることが好ましい。また、本実施形態では、ＨＤＭＩやＵＳＢ等について説明するが、他の通信規格であってもよい。なお、上記例では、ＨＤＭＩ−ＣＥＣ機器１１３に係るワンタッチプレイ機能について説明したが、ＨＤＭＩ以外の他の通信規格を用いた外部機器との関係でワンタッチプレイ機能を実現することも可能である。
【００２８】
次に、第１の実施形態に係るテレビジョン放送受信装置１００の多画面表示の処理及び多画面表示におけるワンタッチプレイを含めた入力切替の処理などについて図２のフローチャート及び図３乃至図５を参照して説明する。
【００２９】
まず、リモートコントローラ１１０の操作に応じて、制御部１０８の画面分割モジュールは映像表示部１０６の画面を多画面（本実施形態では二画面）領域に分割するよう制御する。具体的には例えば、リモートコントローラ１１０の二画面キーを押下げすると、一画面表示から二画面表示に切り替わる（ステップＳ１００１）。なお、二画面表示の際に、再び二画面キーを押下げすると、一画面表示に戻るように構成されてもよい。
【００３０】
図３は、二画面表示の例である。図３に示すように、映像表示部１０６の画面が、第１の画面領域Ａと第２の画面領域Ｂに分割して表示されている。本実施形態における第１の画面領域Ａには、一画面表示の際に視聴していた地上波デジタルの番組（ＲＦ入力）の映像が表示され、第２の画面領域Ｂには、外部機器１１６（例えばパソコン入力）の映像が表示されている。
【００３１】
また、第１の画面領域Ａの上方には、音声権アイコン１２０と、操作権アイコン１２１が表示されている。音声権アイコン１２０は、多画面表示の際に、どの画面の音声がスピーカ１０７から出力されるよう制御されているかを示す。従って、図３の状態では、第１の画面領域Ａ側の音声がスピーカ１０７から出力されている。操作権アイコン１２１は、多画面表示の際に、どの画面がリモートコントローラ１１０で、例えば音量調整やチャンネル切り換え、入力切替等を操作できるかを示す。従って、図３の状態では、第１の画面領域Ａ側をリモートコントローラ１１０で操作できる。
【００３２】
次に、ＨＤＭＩ−ＣＥＣ機器１１３のワンタッチプレイ操作がされる。つまり、ユーザがＨＤＭＩ−ＣＥＣ機器１１３を操作するための操作（例えば、ＨＤＭＩ−ＣＥＣ機器１１３の本体あるいはリモコンの再生ボタンやメニューボタン、あるいはリモートコントローラ１１０に備わるＨＤＭＩ−ＣＥＣ機器１１３を再生操作するためのキーなど）がされる（ステップＳ１００２）。便宜上第１のワンタッチプレイ操作と称する。そうすると、ＨＤＭＩ−ＣＥＣ機器１１３からＨＤＭＩ−ＣＥＣコマンドがテレビジョン放送受信装置１００に対して送信され、テレビジョン放送受信装置１００が当該ＨＤＭＩ−ＣＥＣコマンドを受信する（ステップＳ１００３）。
【００３３】
次に、制御部１０８は、音声権コマンド１２０がある第１の画面領域Ａの現在の入力（本実施形態では、ワンタッチプレイ操作をする前に表示されている地上波デジタル番組の映像信号）の情報を記憶モジュール１０９に記憶するよう制御する（ステップＳ１００４）。ここでいう記憶される現在の入力の情報は、後述するステップ１００８の入力切替に用いられる情報であって、例えば、入力端子の情報、当該番組のチャンネル名、放送局名、番組名などである。
【００３４】
次に、制御部１０８の制御により、第１の画面領域ＡにＨＤＭＩ−ＣＥＣ機器１１３から供給される映像信号が表示される。つまり、図４に示すように、第１の画面領域Ａに対して、ＨＤＭＩ−ＣＥＣ機器１１３への画面入力切替がなされる（ステップ１００５）。なお、この場合、図４に示すように、音声権アイコン１２０及び操作権アイコン１２１は第１の画面領域Ａにあるので、地上波デジタル番組の音声に代わってＨＤＭＩ−ＣＥＣ機器１１３からの音声が出力される。
【００３５】
また、制御部１０８は、第１の画面領域ＡにＨＤＭＩ−ＣＥＣ機器１１３から供給される映像信号が表示されるとともに、映像表示部１０６にはＧＵＩ(Graphical User Interface)メッセージ１２２が一定期間（例えば５秒間）表示されるよう制御する（ステップＳ１００６）。ＧＵＩメッセージ１２２は、上記第１の操作に応じて、ステップ１００５にて第１の画面領域Ａに表示された入力（本実施例では、ＨＤＭＩ−ＣＥＣ機器１１３）を、音声権アイコン１２０や操作権アイコン１２１の無い第２の画面領域に切り替えることが所定キー（本実施例では再生キー）を再度押すことで可能なことをユーザに示すメッセージである。なお、当該ＧＵＩメッセージ１２２は文字を含まないアイコンメッセージであってもかまわない。当該メッセージで促されるこの操作を便宜上第２のワンタッチプレイ操作と称する。
【００３６】
第２のワンタッチプレイ操作に用いる所定キーは、例えばユーザがＨＤＭＩ−ＣＥＣ機器１１３を操作するための操作（例えば、ＨＤＭＩ−ＣＥＣ機器１１３の本体あるいはリモコンの再生ボタンやメニューボタン、あるいはリモートコントローラ１１０に備わるＨＤＭＩ−ＣＥＣ機器１１３を再生操作するためのキーなど）で用いるキーであることが好ましく、更に好ましくは第１のワンタッチプレイ操作で用いたキーと同じであることが好ましい。これにより、ユーザは一つのキーを連続的に押下げすることで、第１のワンタッチプレイ操作にて表示される画面を切り替えることが出来るからである。
【００３７】
なお、ＧＵＩメッセージ１２２は、上記第２のワンタッチプレイ操作の有無の選択をユーザに許可するための選択画面ということも可能である。
ＧＵＩメッセージ１２２の表示期間に第２のワンタッチプレイ操作が行われなかった場合（ステップ１００７のＮｏ）、ＧＵＩメッセージ１２２は消え、図４の状態（第１の画面領域ＡにＨＤＭＩ−ＣＥＣ機器１１３からの映像が表示され、第２の画面領域Ｂにパソコン入力からの映像が表示されている状態）が維持される。
【００３８】
一方、ＧＵＩメッセージ１２２の表示期間に第２のワンタッチプレイ操作が行われた場合（ステップ１００７のＹｅｓ）、制御モジュール１０８は、図５に示すように、第１の画面領域Ａに表示されている映像（ＨＤＭＩ−ＣＥＣ機器１１３の映像）に代えて、ステップ１００４で記憶した入力の映像信号（本実施形態では、第１のワンタッチプレイ操作をする前に表示されている地上波デジタル番組の映像信号）を表示するとともに、第２の画面領域Ｂに第１の画面領域Ａに表示されていた映像（ＨＤＭＩ−ＣＥＣ機器１１３の映像）を表示する（ステップ１００８）。なお、この場合、図５に示すように、音声権アイコン１２０及び操作権アイコン１２１は第１の画面領域Ａに維持されるので、ＨＤＭＩ−ＣＥＣ機器１１３に代わって地上波デジタル番組の音声が出力される。
【００３９】
以上のように第１の実施形態のテレビジョン放送受信装置１００では、ワンタッチプレイ操作を連続的に少なくとも２回行うことのみで、多画面表示における外部機器（ＨＤＭＩ−ＣＥＣ機器１１３）の入力切り替えを自由に行うことができる。図３から図５への切り替えを、リモートコントローラ１１０の入力切替ボタンの押下げ動作や音声権アイコン１２０や操作権アイコン１２１の切り替えの操作等の煩わしい操作を行うことなく、ワンタッチプレイ操作だけで実現できる。従って、多画面表示の際におけるワンタッチプレイの使い勝手が向上する。
【００４０】
次に、本発明の第２の実施形態について説明する。第２の実施形態では、二画面表示（Ｓ１００１）の際にワンタッチプレイ操作される外部機器（ＨＤＭＩ−ＣＥＣ機器１１３）からの映像が既に表示されている点が、第１の実施形態と異なる。
【００４１】
第２の実施形態に係るテレビジョン放送受信装置１００の多画面表示の処理及び多画面表示におけるワンタッチプレイを含めた入力切替の処理などについて図６のフローチャート及び図７を参照して説明する。なお、第１の実施形態と同様の点については、その説明を省略するか簡略する。
【００４２】
まず、ユーザはＨＤＭＩ−ＣＥＣ機器１１３からの映像を単一の画面にて視聴していたとする。次に、リモートコントローラ１１０の操作に応じて、制御部１０８の画面分割モジュールは映像表示部１０６の画面を多画面（本実施形態では二画面）に分割するよう制御する（ステップ２００１）。
【００４３】
図７は、二画面表示の例である。図７に示すように、本実施形態における第１の画面領域Ａには、一画面表示の際に視聴していたＨＤＭＩ−ＣＥＣ機器１１３から入力される映像が表示され、第２の画面領域Ｂには、外部機器１１６（例えばパソコン入力）の映像が表示されている。図７の状態では、ＨＤＭＩ−ＣＥＣ機器１１３の音声がスピーカ１０７から出力されている。また、図７の状態では、第１の画面領域Ａ側をリモートコントローラ１１０で音量操作等が可能である。
【００４４】
次に、ＨＤＭＩ−ＣＥＣ機器１１３の第１のワンタッチプレイ操作がされる（ステップ２００２）。そうすると、ＨＤＭＩ−ＣＥＣ機器１１３からＨＤＭＩ−ＣＥＣコマンドがテレビジョン放送受信装置１００に対して送信され、テレビジョン放送受信装置１００が当該ＨＤＭＩ−ＣＥＣコマンドを受信する（ステップＳ２００３）。
【００４５】
次に、制御部１０８は、第１の画面領域ＡにＨＤＭＩ−ＣＥＣ機器１１３から供給される映像信号が表示された状態にて、図４で示したのと同様に映像表示部１０６にＧＵＩメッセージ１２２が一定期間（例えば５秒間）表示されるよう制御する（ステップＳ２００４）。
【００４６】
ＧＵＩメッセージ１２２の表示期間に第２のワンタッチプレイ操作を行われなかった場合（ステップ２００５のＮｏ）、ＧＵＩメッセージ１２２は消え、図７の状態（第１の画面領域ＡにＨＤＭＩ−ＣＥＣ機器１１３からの映像が表示され、第２の画面領域Ｂにパソコンからの映像が表示されている状態）が維持される。
【００４７】
一方、ＧＵＩメッセージ１２２の表示期間に第２のワンタッチプレイ操作が行われた場合（ステップ２００５のＹｅｓ）、制御モジュール１０８は、第１の画面領域Ａに表示されている映像（ＨＤＭＩ−ＣＥＣ機器１１３の映像）に代えて、記憶モジュール１０９にラストメモリした入力の映像信号を表示するとともに、第１の画面領域Ａに表示されていた映像（ＨＤＭＩ−ＣＥＣ機器１１３の映像）を第２の画面領域Ｂに表示する（ステップ２００６）
【００４８】
ラストメモリした入力の映像信号とは、例えば、当初視聴していたＨＤＭＩ−ＣＥＣ機器１１３の映像に切り替える直前に視聴していた映像に係る映像信号である。ＨＤＭＩ−ＣＥＣ機器１１３を視聴する前に、例えば地上波デジタル番組を視聴していた場合には、当該地上波デジタル番組の入力の映像信号がラストメモリした入力の映像信号である。従ってこの場合、図５に示すように、第１の画面領域Ａに表示されている映像（ＨＤＭＩ−ＣＥＣ機器１１３の映像）に代えて、ラストメモリした入力の映像信号（第２の実施形態では、当初視聴していた地上波デジタル番組の映像信号）を表示するとともに、第１の画面領域Ａに表示されていた映像（ＨＤＭＩ−ＣＥＣ機器１１３の映像）を第２の画面領域Ｂに切り替えて表示する（ステップ２００６）。なお、この場合、図５に示すように、音声権アイコン１２０及び操作権アイコン１２１は第１の画面領域Ａに維持されるので、ＨＤＭＩ−ＣＥＣ機器１１３に代わって地上波デジタル番組の音声が出力される。
【００４９】
なお、ラストメモリする入力の映像信号は、ＨＤＭＩ−ＣＥＣ機器１１３の映像の直前に視聴していた映像に応じて任意に変更可能である。すなわち、ＨＤＭＩ−ＣＥＣ機器１１３の映像の直前に外部機器１１６からの映像を視聴していた場合には、ラストメモリする入力の映像信号は、外部機器１１６からの映像信号である。また、ＨＤＭＩ−ＣＥＣ機器１１３の映像の直前にＢＳ入力の映像を視聴していた場合には、ＢＳ入力の映像信号である
【００５０】
第２の実施形態では、図７から図５への切り替えを、リモートコントローラ１１０の入力切替操作（入力切替ボタンの操作）や音声権アイコン１２０や操作権アイコン１２１の操作などの煩わしい操作を行なうことなく、ワンタッチプレイ操作を連続的に行うだけで実現できる。
【００５１】
次に、本発明の第３の実施形態について説明する。第３の実施形態でも、第２の実施形態と同様に二画面表示の際にワンタッチプレイ操作される外部機器（ＨＤＭＩ−ＣＥＣ機器１１３）からの映像が既に表示されている。
【００５２】
第３の実施形態に係るテレビジョン放送受信装置１００の多画面表示の処理及び多画面表示におけるワンタッチプレイを含めた入力切替の処理などについて図８のフローチャート及び図９を参照して説明する。なお、第１・第２の実施形態と同様の点については、その説明を省略するか簡略する。
【００５３】
ステップ３００１からステップ３００５までは、第２の実施形態におけるステップ２００１からステップ２００５と同様であるため、説明を省略する。
ＧＵＩメッセージ１２２の表示期間に第２のワンタッチプレイ操作が行われなかった場合（ステップ３００５のＮｏ）、ＧＵＩメッセージ１２２は消え、図７の状態（第１の画面領域ＡにＨＤＭＩ−ＣＥＣ機器１１３からの映像が表示され、第２の画面領域Ｂにパソコンからの映像が表示されている状態）が維持される。
【００５４】
一方、ＧＵＩメッセージ１２２の表示期間に第２のワンタッチプレイ操作が行われた場合（ステップ３００５のＹｅｓ）、制御モジュール１０８は、第１の画面領域Ａに表示されている映像（ＨＤＭＩ−ＣＥＣ機器１１３の映像）に代えて第２の画面領域Ｂに入力された映像信号を表示するとともに、第１の画面領域Ａに表示されていた映像（ＨＤＭＩ−ＣＥＣ機器１１３の映像）を第２の画面領域Ｂに表示するよう制御する（ステップ３００６）。つまり、第１の画面領域Ａの入力と第２の画面領域Ｂの入力が入れ替えられる。なお、この場合、図９に示すように、音声権アイコン１２０及び操作権アイコン１２１は第１の画面領域Ａに維持されるので、ＨＤＭＩ−ＣＥＣ機器１１３に代わってパソコンの音声が出力され、パソコン側の画面領域Ａ対してリモートコントローラ１１０で音量操作等が可能である。
【００５５】
第３の実施形態では、図７から図９への切り替えを、リモートコントローラ１１０の入力切替操作（入力切替ボタンの操作）や音声権アイコン１２０や操作権アイコン１２１の操作などの煩わしい操作を行なうことなく、ワンタッチプレイ操作を連続的に行うだけで実現できる。
【００５６】
以上のように第１乃至第３の実施形態のいずれにおいても、ワンタッチプレイ操作を連続的に行うことで、多画面表示における接続相手機器（上記実施形態ではＨＤＭＩ−ＣＥＣ機器１１３）の画面上の切り替えを自由に行うことができる。
【００５７】
なお、上記実施形態では、ＨＤＭＩ−ＣＥＣ機器１１３の例としてＤＶＤプレーヤーを主に説明したが、この他にＨＤＭＩ−ＣＥＣ機能を有するデジタルカメラ、パソコンなどの外部機器であってもよい。すなわち、テレビジョン放送受信装置１００との関係においてワンタッチプレイ機能を実現する外部機器であれば特に限定されない。また、ＨＤＭＩ−ＣＥＣに限らず、テレビジョン放送受信装置１００との関係においてワンタッチプレイ機能を実現可能な通信規格を用いることが可能である。
【００５８】
さらに、上記実施形態では、ＨＤＭＩ−ＣＥＣ機器１１３の入力の第１の画面領域Ａから第２の画面領域の切り替え（Ｓ１００８、Ｓ２００６）を説明した。しかし、ワンタッチプレイ操作のキーの押下げを更に連続的に行う事で、ＨＤＭＩ−ＣＥＣ機器１１３の入力の第２の画面領域Ｂから第１の画面領域Ａへの切り替え、及びその逆の切り替えを更に連続的に行う操作（いわゆるトグル動作）も可能である。
【００５９】
また、上記実施形態では、二画面表示におけるＨＤＭＩ−ＣＥＣ機器１１３の入力の画面切り替えについて説明したが、これに限定されない。例えば、ワンタッチプレイ操作により二画面表示と一画面表示の切り替えが可能なように制御モジュール１０８が構成されていた場合は、二画面表示の第１の画面領域ＡにＨＤＭＩ−ＣＥＣ機器１１３からの映像を表示させた状態、二画面表示の第２の画面領域ＢにＨＤＭＩ−ＣＥＣ機器１１３からの映像を表示させた状態、一画面表示でＨＤＭＩ−ＣＥＣ機器１１３からの映像を表示させた状態を順にトグル動作させることも可能である。これにより、ワンタッチプレイ操作を連続的に行うことだけで、一画面表示、二画面表示を順に切り替えることができ、ワンタッチプレイの使い勝手が向上する。
【００６０】
また、三画面表示、四画面表示など二画面よりも多画面表示の際に本発明を適用することもできる。例えば、第１の実施形態を三画面表示に適用する場合、ステップ１００８の際にＨＣＭＩ−ＣＥＣ機器１１３のある画面領域（音声権１２０や操作権１２１を有する）を記憶した入力に切り替えるとともに、その他二つの画面領域のいずれかをＨＤＭＩ−ＣＥＣ機器の入力に切り替えることができる。また、第２の実施形態を三画面表示に適用する場合、ステップ２００６の際にＨＣＭＩ−ＣＥＣ機器１１３のある画面領域（音声権１２０や操作権１２１を有する）をラストメモリした入力に切り替えるとともに、その他二つの画面領域のいずれかをＨＤＭＩ−ＣＥＣ機器１１３の入力に切り替えることができる。また、第３の実施形態を三画面表示に適用する場合、ステップ３００６の際にＨＣＭＩ−ＣＥＣ機器１１３のある画面領域（音声権１２０や操作権１２１を有する）とその他二つの画面領域のいずれかの入力と切り替えることができる。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１００…テレビジョン放送受信装置、１０１…アンテナ、１０２…放送受信モジュール、１０３…信号処理モジュール、１０４…映像・音声出力処理モジュール、１０５…ＯＳＤ発生モジュール、１０６…映像表示部、１０７…スピーカ、１０８…制御モジュール、１０９…記憶モジュール、１１０…リモートコントローラ、１１１…受信モジュール、１１２…接続モジュール、１１３…ＨＤＭＩ−ＣＥＣ機器、１１４…ＵＳＢ端子、１１５…外部入力端子、１１６…外部機器、１２０…音声権アイコン、１２１…操作権アイコン、１２２…ＧＵＩメッセージ
【図１】
2011035454.tif 000003
【図２】
2011035454.tif 000004
【図３】
2011035454.tif 000005
【図４】
2011035454.tif 000006
【図５】
2011035454.tif 000007
【図６】
2011035454.tif 000008
【図７】
2011035454.tif 000009
【図８】
2011035454.tif 000010
【図９】
2011035454.tif 000011